(57)【要約】【課題】  本発明は、サーマルプリンタの出力により、コピー機による偽造を防ぎ、また真贋判定を容易に行うことがでる出力シートを提案するものである。【解決手段】本発明の出力シートは、シート状支持体に、無色乃至淡色の塩基性染料と呈色剤との発色反応によるコードリーダで読み取り可能なコード情報の出力と、他の無色乃至淡色の塩基性染料と呈色剤との反応による紫外線照射すると蛍光する偽造防止像と、着色インクの印刷による固定情報印刷像とを少なくとも有することを特徴とする。【選択図】図１
2017087679.tif 000002
【特許請求の範囲】
【請求項１】
シート状支持体に、無色乃至淡色の塩基性染料と呈色剤との発色反応によるコードリーダで読み取り可能なコード情報の出力と、他の無色乃至淡色の塩基性染料と呈色剤との反応による紫外線照射すると蛍光する偽造防止像と、着色インクの印刷による固定情報印刷像とを少なくとも有することを特徴とする出力シート。
【請求項２】
更に無色乃至淡色の塩基性染料と呈色剤の反応による視認可能な個別情報を有する請求項１に記載の出力シート。
【請求項３】
コード情報の発色部の周囲に前記紫外線照射すると蛍光する偽造防止像を有する請求項１又は２に記載の出力シート。
【請求項４】
無色乃至淡色の塩基性染料と呈色剤との発色反応によるコードリーダで読み取り可能なコード情報が赤外読み取り可能な発色である請求項１〜３の何れかに記載の出力シート。
【請求項５】
シート状支持体に、無色乃至淡色の塩基性染料と呈色剤との発色反応によるコードリーダで読み取り可能なコード情報と、無色乃至淡色の塩基性染料と呈色剤との発色反応により得、コピー機により複写した際は異なる色調に複写される偽造防止像と、着色インクの印刷による固定印刷像とを少なくとも有することを特徴とする出力シート。
【請求項６】
コピー機により複写した際は異なる色調に複写される偽造防止像が、金属光沢調の像である請求項５記載の出力シート。
【請求項７】
更に無色乃至淡色の塩基性染料と呈色剤の反応による視認可能な個別情報を有する請求項５又は６に記載の出力シート。
【請求項８】
前記コピー機により複写した際は異なる色調に複写される偽造防止像が、紫外線照射すると蛍光する請求項５〜７の何れかに記載の出力シート。
【請求項９】
無色乃至淡色の塩基性染料と呈色剤との発色反応によるコードリーダで読み取り可能なコード情報が赤外読み取り可能な発色である請求項５〜８の何れかに記載の出力シート。
【発明の詳細な説明】
【技術分野】
【０００１】
本発明は、サーマルプリンタで出力する出力シートに関する。
【背景技術】
【０００２】
従来より、乗車券、搭乗券、駐車券、入場券など各種チケット類等は、特定の窓口で発行されており、情報は表面に印刷され、更に磁気記録やＩＣチップに必要な情報が格納されていた。更に、透かしを有する紙を用いる、細い帯状物であるスレッドや金糸を挿入した紙を用いる、紙の表面にホログラムを設ける、紙にマイクロ文字を印刷するなどの様々な手法が偽造防止や真贋判定のために採用されていた。
【０００３】
近年、インターネットの普及にともない、パソコンやスマートフォン、コンビニエンスストア等の端末などで入力操作をし、プリントアウトする場合が増えている。この方式の場合、磁気やＩＣチップに格納していた読み取りが必要な情報は二次元バーコード（例えばＱＲコード（登録商標））などに出力して用いられている。
【先行技術文献】
【特許文献】
【０００４】
【特許文献１】特開2013-4024
【特許文献２】特開2014-218051
【発明の概要】
【発明が解決しようとする課題】
【０００５】
しかし、使用されている出力シートは特に工夫されているものではなく、コピー機により簡単に複製することができるという問題があった。特許文献１のように、二次元バーコードのシンボルのうち、少なくとも固定パターンを赤外線吸収インキで印刷され、その他の部分をサーマルプリンタで印字する方法も提案されているが、2種の出力方式で一つの二次元バーコードを出力することは困難である。
特許文献２のように、染料前駆体および顕色剤を用いた偽造防止用記録体及びその偽造物識別方法、並びにその製造方法の提案がなされているが、コピー機による偽造複製品の真贋判定を容易に行える具体的な出力シートについては開示されていない。
【０００６】
本発明は、サーマルプリンタの出力により、コピー機による偽造を防ぎ、また真贋判定を容易に行うことがでる出力シートを提案するものである。
【課題を解決するための手段】
【０００７】
本発明者は、可変情報は感熱発色機構を採用し、コードリーダで読み取り可能な発色像と、偽造防止発色像を形成することにより、複雑な装置を導入することなく、偽造防止および真贋判定に適した出力シートを提供することができる。
【０００８】
即ち、本発明は、
（１）シート状支持体に、無色乃至淡色の塩基性染料と呈色剤との発色反応によるコードリーダで読み取り可能なコード情報の出力と、他の無色乃至淡色の塩基性染料と呈色剤との反応による紫外線照射すると蛍光する偽造防止像と、着色インクの印刷による固定印刷像とを少なくとも有することを特徴とする出力シート。
（２）更に無色乃至淡色の塩基性染料と呈色剤の反応による視認可能な個別情報の出力を有する（１）に記載の出力シート。
（３）コード情報の発色部の周囲に前記紫外線照射すると蛍光する偽造防止像を有する
（１）又は（２）に記載の出力シート。
（４）無色乃至淡色の塩基性染料と呈色剤との発色反応によるコードリーダで読み取り可能なコード情報が赤外読み取り可能な発色である（１）〜（３）の何れかに記載の出力シート。
（５）シート状支持体に、無色乃至淡色の塩基性染料と呈色剤との発色反応によるコードリーダで読み取り可能なコード情報の出力と、無色乃至淡色の塩基性染料と呈色剤との発色反応により得、コピー機により複写した際は異なる色調に複写される偽造防止像と、着色インクの印刷による固定印刷像とを少なくとも有することを特徴とする出力シート。
（６）コピー機により複写した際は異なる色調に複写される偽造防止像が、金属光沢調の像である（５）に記載の出力シート。
（７）更に無色乃至淡色の塩基性染料と呈色剤の反応による視認可能な個別情報の出力を有する（５）又は（６）に記載の出力シート。
（８）前記コピー機により複写した際は異なる色調に複写される偽造防止像が、紫外線照射すると蛍光する（５）〜（７）の何れかに記載の出力シート。
である。
（９）無色乃至淡色の塩基性染料と呈色剤との発色反応によるコードリーダで読み取り可能なコード情報が赤外読み取り可能な発色である（５）〜（８）の何れかに記載の出力シート。
【発明の効果】
【０００９】
本発明によれば、出力シートをコピー機によって複写偽造を行った場合、紫外線領域において蛍光を示す発色像までは複製することができないため、偽造防止が可能であり、また、紫外線を当てることにより真贋判定も容易に行うことができる。或いは、出力シートをコピー機によって複写偽造を行った場合、複写した色調が異なっているため、偽造防止が可能であり、また真贋判定も容易に行うことができる。
【図面の簡単な説明】
【００１０】
【図１】本発明の第一の態様の出力シートを説明する平面図である。
【図２】図１のＡ−Ａ線による断面図の一例である。
【図３】図１のＡ−Ａ線による断面図の別の例である。
【図４】図１のＡ−Ａ線による断面図の別の例である。
【図５】図１のＡ−Ａ線による断面図の別の例である。
【図６】図１のＡ−Ａ線による断面図の別の例である。
【図７】本発明の第二の態様の出力シートを説明する平面図である。
【図８】図７のＢ−Ｂ線による断面図である。
【発明を実施するための形態】
【００１１】
「第一の態様」
本発明の第一の態様は、シート状支持体に、無色乃至淡色の塩基性染料と呈色剤との発色反応によるコードリーダで読み取り可能なコード情報の出力と、他の無色乃至淡色の塩基性染料と呈色剤との反応による紫外線照射すると蛍光する偽造防止像と、着色インクの印刷による固定印刷像とを少なくとも有することを特徴とする出力シートである。
【００１２】
図１は、第一の態様の出力シートの代表例を説明する図である。図２は、図１の出力シートのＡ−Ａ線での断面図である。なお、図面は、本発明の概要を説明するためのもので、寸法、高さなどの縮尺は実際のものとは異なるものである。
【００１３】
出力シート（１）は、シート状支持体（２）、感熱発色層Ａ（３Ａ）、感熱発色層Ｂ（３Ｂ）を有する構成である感熱発色シート（４）を用いる。例えば、感熱発色層Ａ（３Ａ）には、無色乃至淡色の塩基性染料と呈色剤を含有し、感熱発色層Ｂ（３Ｂ）には他の無色乃至淡色の塩基性染料と呈色剤を含有する。図面は、シート状支持体（１）の上に感熱発色層Ｂ（３Ｂ）、感熱発色層Ａ（３Ａ）の順に積層しているが、この順に限定するものではない。図３のように、感熱発色層Ａ，Ｂを一つの感熱発色層（３）として形成することもできる。また、図４のように、感熱発色層Ａ，Ｂを別々に区分して設けることもできる。
なお、シート状支持体（２）上に感熱発色層（３Ａ、３Ｂ，３）を形成する方法は、感熱記録体の製造において公知の塗工方法、印刷方法を採用することができる。
【００１４】
この感熱発色シートの表面に着色インクの印刷による固定情報印刷像（５）を設けて出力用シートとなる。図５のように、固定情報印刷像（５）は、予めシート状支持体（２）に印刷しておいて、感熱発色層（３Ａ，３Ｂ）を設けても構わない。この固定情報印刷像を設けた状態で、出力用端末機（出力プリンタ）にセットされる。出力用シートは１枚１枚独立した枚葉シートであっても、ロール状に連なった連続シートであっても構わない。半券を有する出力シートの場合、予めミシン目（１０）を設けておいてもよい。
【００１５】
この出力用シートに、異なる温度で感熱発色像を形成することで出力シート１となる。図２、図５の場合、感熱発色層Ａ（３Ａ）には、コードリーダで読み取り可能なコード情報の出力（６）と、視認可能な個別情報の出力（７）が形成れる。感熱発色層Ｂ（３Ｂ）には、紫外線照射すると蛍光する偽造防止像（８）が形成される。特に限定しないが、感熱発色層Ａの発色温度を感熱発色層Ｂの発色温度よりも高くすることが好ましい。感熱発色層Ａの発色の際、感熱発色層Ｂの発色が生じないように熱をかけることも可能であるが、感熱発色層Ａが感熱発色層Ｂを覆う構成にしてあるため、感熱発色層Ｂが発色していてもコードリーダで読み取りの点からして支障はない。
【００１６】
図３の場合、感熱発色層（３）に、コードリーダで読み取り可能なコード情報の出力（６）と、視認可能な個別情報の出力（７）と、紫外線照射すると蛍光する偽造防止像（８）が形成される。例えば、コードリーダで読み取り可能なコード情報の出力（６）と、視認可能な個別情報の出力（７）を高温領域で、紫外線照射すると蛍光する偽造防止像（８）を低温領域と異なるようにして加熱するとよい。同一層においても、異なる温度で発色するようにコントロールする方法は、塩基性染料の片方を樹脂複合粒子にするなど公知の方法を用いるとよい。例えば、特開昭６０−２４４５９４号公報、特開平９−２６３０５７号公報、特開２０００−１５８８２２号公報に記載された方法が挙げられる。
【００１７】
図４の場合、感熱発色層（３Ａ）に、コードリーダで読み取り可能なコード情報の出力（６）と、視認可能な個別情報の出力（７）と、感熱発色層（３Ｂ）に紫外線照射すると蛍光する偽造防止像（８）が形成される。感熱発色層（３Ａ）と感熱発色層（３Ｂ）が区領域的に区分して設けた構成であるので、記録の際の温度を区別して印字する必要はない構成である。
【００１８】
この出力シートは、コピー機などで複製を行うと、蛍光発色部まで複製することができないから偽造防止の効果が高く、また紫外線を照射することで蛍光を確認できるので、真贋判定も容易に行うことができる。また、図６のように、コード情報の発色部（６）の周囲に前記紫外線照射すると蛍光する偽造防止像（９）を形成した出力シートは、より偽造が困難となるため好ましい。
【００１９】
本発明の第二の態様は、シート状支持体に、無色乃至淡色の塩基性染料と呈色剤との発色反応によるコードリーダで読み取り可能なコード情報の出力と、無色乃至淡色の塩基性染料と呈色剤との発色反応により得、コピー機により複写した際は異なる色調に複写される偽造防止像と、着色インクの印刷による固定印刷像とを少なくとも有することを特徴とする出力シートである。
【００２０】
第一の態様で紫外線照射すると蛍光する偽造防止像（８）（９）が視認可能であり、コピー機により複写した際、異なる色調に複写される場合の他、次にあげる場合が例示できる。
図７は、第二の態様の出力シートの代表例を説明する図である。図８は、図７の出力シートのＢ−Ｂ線での断面図である。なお、図面は、本発明の概要を説明するためのもので、寸法、高さなどの縮尺は実際のものとは異なる。
【００２１】
出力シート（１１）は、シート状支持体（１２）、感熱発色層Ａ（１３Ａ）、感熱発色層Ｂ（１３Ｂ）を有する構成である感熱発色シート（１４）を用いる。感熱発色層Ａ（１３Ａ）には、無色乃至淡色の塩基性染料と呈色剤を含有し、感熱発色層Ｂ（１３Ｂ）には他の無色乃至淡色の塩基性染料と呈色剤を含有する。なお、感熱発色層Ａ，Ｂを一つの感熱発色層として形成することもでき、本発明はこの構成も含む。図８の場合、シート状支持体と感熱発色層との間に、金属蒸着層（１９）を設けた構成である。なお、シート状支持体（１２）上、或いは金属蒸着層上（１９）に感熱発色層（１３Ａ、１３Ｂ）を形成する方法としては、感熱記録体の製造において公知の塗工方法、印刷方法を採用することができる。
【００２２】
この感熱発色シートの表面に着色インクの印刷による固定印刷像（１５）を設けて出力用シートとなる。なお、第一の態様でも説明したように、固定印刷像は、予めシート状支持体に印刷しておいて、感熱発色層を設けても構わない。この固定印刷像を設けた状態で、出力用端末機（出力プリンタ）にセットされる。出力用シートは１枚１枚独立した枚葉シートであっても、ロール状に連なった連続シートであっても構わない。
【００２３】
この出力用シートに、異なる温度で感熱発色像を形成することで出力シート（１１）となる。図８の場合、感熱発色層Ａ（１３Ａ）には、コードリーダで読み取り可能なコード情報の出力（１６）と、視認可能な個別情報の出力（１７）が形成れる。感熱発色層Ｂ（３Ｂ）には、コピー機により複写した際は異なる色調に複写される偽造防止像（１８）が形成される。感熱発色層Ｂの発色は隠蔽性の低い黄色系、赤色系、青色系の発色が行われる。感熱発色層（１３Ｂ）とシート状支持体（１１）の間に形成された金属蒸着層（１９）により、偽造防止像（１８）の発色は、金属光沢を有するメタル調なものとなる。この発色は、コピー機などで複写を行った場合、色調が異なったものとなるため、偽造防止の効果があり、真贋判定も容易にできるものである。
【００２４】
図示しないが、発色が、コードリーダで読み取り可能であり、コピー機により複写すると色調が異なるような塩基性染料を用いる場合は、染料を使い分ける必要もなく、感熱発色層を一層で達成できる。
【００２５】
以下に、本発明の構成要素について説明を加える。
「シート状支持体（２）、（１２）」
シート状支持体としては、種類、形状、寸法等に格別の限定はない。種類については、例えば、上質紙、中質紙、コート紙、アート紙、キャストコート紙、グラシン紙、合成紙、合成繊維紙、不織布、合成樹脂フィルム、樹脂ラミネート紙、金属箔、金属化紙、金属蒸着紙等が適宜使用できる。また支持体は透明であっても、不透明であってもかまわない。特に、感熱記録体で用いられている下塗り層を有する支持体であってもよい。形状、寸法については、所望の出力シートの形状であればよい。サーマルプリンタに適さない形状の場合はサーマルプリンタに適合する形状で準備し、出力後に、所定の形状、寸法に切断して使用してもよい。勿論、透かしやスレッド等を有するシートであっても構わない。第二の態様の場合、金属箔、金属化紙、金属蒸着紙の使用が好ましい。
【００２６】
「発色反応機構」
本発明において、無色乃至淡色の塩基性染料と呈色剤との発色反応を利用する。この発色反応は、感熱記録体やノーカーボン紙などで採用されている。発色前は、無色乃至淡色の塩基性染料と、酸性物質である呈色剤を、加熱により溶融、或いは加圧によりマイクロカプセルに内包されたオイルにより溶解することにより反応する。塩基性染料と呈色剤が反応することで、コードリーダで読み取り可能に発色したり、視認可能に発色したり、蛍光を示す発色をしたりする。
【００２７】
「コード情報の出力（６），（１６）」
コードリーダで読み取り可能なコード情報の出力に用いる塩基性染料（以下、塩基性染料Ａともいう。）は、例えば、黒色系、青色系、シアン色系、緑色系、赤色系、マゼンタ色系、黄色系の色調に発色する塩基性染料、発色して近赤外領域に吸収を有する塩基性染料等が挙げられる。具体的には、公知となっている感熱記録体やノーカーボン紙の塩基性染料や染料前駆体として例示されているものが使用できる（但し、発色の際に蛍光を示すものを除く）。また、塩基性染料Ａは、二種類以上の染料を併用して色調を調節することもできる。
組み合わせて使用する呈色剤についても公知となっている感熱記録体やノーカーボン紙の呈色剤や顕色剤として例示されているものが使用できる。勿論、感熱記録体やノーカーボン紙で公知となっている増感剤などの助剤も適宜使用することができる。
【００２８】
コード情報としては、バーコード、二次元バーコード（ＱＲコード（登録商標）を含む）等、コードリーダ等で読み取られる情報である。もちろん、スマートフォンなどの読み取り機能やスキャナー類もコードを読み取りが可能であれば、コードリーダに該当する。コード情報の出力は、可変情報であるため、プリンタで出力される。プリンタとしては感熱方式、感圧方式のいずれも適用できるが、繊細なコードを出力するため、感熱方式を用いたプリンタが好適である。上記塩基性染料Ａと呈色剤を少なくとも含む感熱発色層（３，３Ａ，3Ｂ，１３Ａ，１３Ｂ）をシート状支持体（２，１２）上に設けておき、感熱方式のプリンタでコード情報（６），（１６）を出力するとよい。
特に、発色して近赤外領域に吸収を有する塩基性染料によるコード情報は、近赤外領域で読み取るコードリーダを用いて読み取ることができるが、コピー等の複製は困難であるため、好ましい態様である。
【００２９】
「視認可能な個別情報（７）、（１７）」
塩基性染料Ａと呈色剤による発色は、コードデータの出力だけでなく、その他を出力を行うことができる。例えば、氏名や日時、場所、ロット番号、発券機の情報などの情報を視認可能な個別情報として出力してもよく、また、これらを出力することが好ましい。
【００３０】
「蛍光する偽造防止像（８）」
本発明の第一の態様では蛍光する偽造防止像（８）を必須とする。
塩基性染料Ａとは異なり、呈色剤との反応することで紫外線照射すると蛍光する塩基性染料（以下、塩基性染料Ｂともいう。）は、特に限定しないが、下記一般式（１）で表される分子構造にピリジン骨格を有する塩基性染料が例示できる。
【００３１】
【化１】
2017087679.tif 000003
（式中、Ｒ１は水素原子もしくは炭素数１〜８のアルコキシ基を表し、Ｒ２は水素原子もしくは炭素数１〜８のアルコキシ基を表す。Ｒ１及びＲ２は同一であっても、異なっていてもよい。Ｒ３は炭素数１〜４のアルキル基を表す。） 
【００３２】
前記一般式（１）において、Ｒ１は水素原子もしくは炭素数１〜８の分岐してもよいアルコキシ基を表し、Ｒ２は水素原子もしくは炭素数１〜８の分岐してもよいアルコキシ基を表し、Ｒ１及びＲ２は同一であっても、異なっていてもよく、Ｒ３は炭素数１〜４の分岐してもよいアルキル基を表すが、少なくともＲ１及びＲ２は直鎖状の飽和炭化水素基が工業的にも容易に導入できることから好ましい。 
本発明では、発色濃度を高めて、発色像の保存性と耐光性を向上する観点から、前記一般式（１）中、Ｒ１及びＲ２のいずれか一方が炭素数４〜８のアルコキシ基を表すことが好ましい。更に、発色濃度をより一層高める観点から、Ｒ１及びＲ２のいずれか一方が水素原子を表すことが好ましい。 
【００３３】
前記ピリジン骨格を有する塩基性染料は、４−［２−（２−ブトキシフェニル）−６−フェニル−４−ピリジニル］−Ｎ，Ｎ−ジメチルベンゼンアミン、４−［２−（２−ペンチルオキシフェニル）−６−フェニル−４−ピリジニル］−Ｎ，Ｎ−ジメチルベンゼンアミン、４−［２−（２−ヘキシルオキシフェニル）−６−フェニル−４−ピリジニル］−Ｎ，Ｎ−ジメチルベンゼンアミン、４−［２−（２−オクチルオキシフェニル）−６−フェニル−４−ピリジニル］−Ｎ，Ｎ−ジメチルベンゼンアミン、４−（２，６−ジフェニル−４−ピリジニル）−Ｎ，Ｎ−ジメチルベンゼンアミン、４−［２，６−ビス（２−ブトキシフェニル）−４−ピリジニル］−Ｎ，Ｎ−ジメチルベンゼンアミン、４−［２，６−ビス（２−ペンチルオキシフェニル）−４−ピリジニル］−Ｎ，Ｎ−ジメチルベンゼンアミン、４−［２，６−ビス（２−ヘキシルオキシフェニル）−４−ピリジニル］−Ｎ，Ｎ−ジメチルベンゼンアミン、及び４−［２，６−ビス（２−オクチルオキシフェニル）−４−ピリジニル］−Ｎ，Ｎ−ジメチルベンゼンアミンからなる群から選ばれる１種が好ましい。これらの塩基性染料は、可視光領域においては一層鮮やかな黄色系の発色色調を有し、しかも紫外線の下での蛍光性に優れる。
【００３４】
更に、前記一般式（１）中、Ｒ１とＲ２は、発色濃度をより一層高める観点から、同時に水素原子である場合を除くことが好ましい。これらの中でも、発色像の保存性をより一層向上する観点から、４−［２−（２−ブトキシフェニル）−６−フェニル−４−ピリジニル］−Ｎ，Ｎ−ジメチルベンゼンアミン、４−［２−（２−ペンチルオキシフェニル）−６−フェニル−４−ピリジニル］−Ｎ，Ｎ−ジメチルベンゼンアミン、及び４−［２−（２−ヘキシルオキシフェニル）−６−フェニル−４−ピリジニル］−Ｎ，Ｎ−ジメチルベンゼンアミンからなる群から選ばれる１種が好ましい。
【００３５】
組み合わせて使用する呈色剤についても公知となっている感熱記録体やノーカーボン紙の呈色剤や顕色剤として例示されているものが使用できる。勿論、感熱記録体やノーカーボン紙で公知となっている増感剤などの助剤も適宜使用することができる。
【００３６】
本発明は、紫外線照射すると蛍光する偽造防止像有する出力シートは、コピー機で複写すると、蛍光を示さないものしか得られないため、複製することができない。偽造防止像は、塩基性染料Ｂと呈色剤によって反応した反応物をシート状支持体に印刷してもよいが、可変情報として保有するほうが偽造防止性にすぐれるため、プリンタで偽造防止像を出力した構成が好ましい。可変情報としては、氏名や日時、場所、ロット番号、発券機の情報など個別情報を出力するとよい。
【００３７】
プリンタで偽造防止像を出力する場合、上記塩基性染料Ｂと呈色剤を少なくとも含む感熱発色層をシート状支持体上に設けておき、感熱方式のプリンタでコード情報を出力するとよい。塩基性染料Ａを含む感熱記録層と塩基性染料Ｂを含む感熱記録層は、領域を区分して設けてもよいが、積層して設けてもよい。また、感熱記録層に塩基性染料Ａと塩基性染料Ｂの両方を含む状態でもかまわない。積層する場合、両方の塩基性染料を一層に含む場合、公知の２色感熱記録体や多色感熱記録体の技術を用いることにより、異なる温度領域でそれぞれの発色反応を行うことができる。なお、塩基性染料Ａの発色反応を塩基性染料Ｂの発色反応より高い温度で行うことが、蛍光がはっきり判別することができるため、好ましい。更に、コード情報の発色部の周囲に前記紫外線照射すると蛍光することが、より偽造が困難と成るため好ましい。
【００３８】
「固定情報印刷像（５）、（１５）」
本発明では、更に着色インクの印刷による固定情報印刷像（５）、（１５）を有する。固定情報とは、地紋印刷や下地印刷の他、ロゴ、社名などそれぞれの出力シートにおいて共通する情報である。印刷方式としては特に限定するものでなく、オフセット法、スクリーン法、グラビア印刷法、インクジェット法、電子写真法など例示できる。コード情報、偽造防止像と異なる方式で印刷を施すことにより、より偽造が困難となる。蛍光性のインクを一部用い、印刷することも可能である。この場合、感熱発色による蛍光と印刷インクによる蛍光の両方を再現うることは困難なので、偽造防止効果の点で更に好ましい。
【００３９】
「コピー機により複写した際は異なる色調に複写される偽造防止像（１８）」
第二の態様では、偽造防止像が、無色乃至淡色の塩基性染料と呈色剤との発色反応により得、コピー機により複写した際は異なる色調に複写される偽造防止像である点である。
コピー機は元となる原稿に光を当て、その反射光をセンサで検知して画像を作るが、蛍光色や、金色、銀色などの金属光沢色は、当てた光の一部が反射しないか、あるいは、光が全反射して、センサに届かないため、元となる原稿の色と異なる色になってしまう。
【００４０】
第二の態様の場合、コピー機により複写した際は異なる色調に複写される偽造防止像であればよいので、蛍光を示す塩基性染料Ｂを用いることに限定されない。コピー機により複写した際は異なる色調に複写される偽造防止像とするためには、例えば、シート状支持体と発色像の間に、金属蒸着層等の金属光沢を示す層を設けることにより、発色像がメタル調となる。メタル調の発色はコピー機による複写を行うと、異なった色調となる。無色乃至淡色の塩基性染料としては特に限定しないが、金属光沢調などの色相を発現しやすい、黄色系、赤色系、青色系に発色する塩基性染料を用いることが好ましい。
【産業上の利用可能性】
【００４１】
本発明によれば、出力シートをコピー機で複写偽造を困難にし、また真贋判定も容易に行うことができる。このことから、乗車券、搭乗券、駐車券、入場券、回数券、招待券など各種チケット類や会員証、ポイントカード、ＩＤカード、診察券など各種カード類、更には、くじ、抽選券、割引券、物流ラベル、管理ラベルなど、幅広く使用することができる。
【符号の説明】
【００４２】
１、１１  出力シート
２、１２  シート状支持体
３、３Ａ、３Ｂ、１３Ａ、１３Ｂ  感熱発色層
４、１４  感熱発色シート
５、１５  固定情報（着色インキの印刷像）
６、１６  コード情報（塩基性染料と呈色剤との発色像）
７、１７  個別情報（塩基性染料と呈色剤との発色像）
８        偽造防止像（蛍光）（塩基性染料と呈色剤との発色像）
９        コード情報周囲の偽造防止像（蛍光）（塩基性染料と呈色剤との発色像）
１０、２０  ミシン目
１８      偽造防止像（金属調）（塩基性染料と呈色剤との発色像）
１９      金属蒸着層
【図１】
2017087679.tif 000004
【図２】
2017087679.tif 000005
【図３】
2017087679.tif 000006
【図４】
2017087679.tif 000007
【図５】
2017087679.tif 000008
【図６】
2017087679.tif 000009
【図７】
2017087679.tif 000010
【図８】
2017087679.tif 000011